(57)【要約】【課題】内容積の大容量化を図りつつ、真空断熱材の破損を防ぎ断熱性能を維持することができる冷蔵庫を提供する。【解決手段】内箱１４と、外箱１２と、内箱１４及び外箱１２の間に形成された断熱空間１５に設けられた真空断熱材１３と、内箱１４の内側に設けられた内側部材９０と、内箱１４に固定され内側部材９０を内箱１４に取り付ける固定具１００とを備え、固定具１００は断熱空間１５の厚さ方向に真空断熱材１３と対向しない位置に設けられている。【選択図】        図３
2018189364.tif 000002
【特許請求の範囲】
【請求項１】
内箱と、外箱と、内箱及び外箱の間に形成された断熱空間に設けられた真空断熱材と、前記内箱の内側に設けられた内側部材と、前記内箱に固定され前記内側部材を前記内箱に取り付ける固定具とを備え、
前記固定具は前記断熱空間の厚さ方向に前記真空断熱材と対向しない位置に設けられている冷蔵庫。
【請求項２】
前記固定具は、前記内箱の背面上部であって、前記断熱空間の背面に設けられた前記真空断熱材より上方に設けられている請求項１に記載の冷蔵庫。
【請求項３】
複数個の前記固定具が幅方向に並んで前記内箱に設けられている請求項１又は２に記載の冷蔵庫。
【請求項４】
庫内を冷却する冷凍サイクルを備え、
前記固定具は、前記断熱空間において前記冷凍サイクルの一部を構成する冷媒パイプを保持する保持部を備える請求項１〜３のいずれか１項に記載の冷蔵庫。
【請求項５】
前記保持部は、前記冷媒パイプを挟持して保持する請求項４に記載の冷蔵庫。
【請求項６】
内箱及び外箱の間に形成された前記断熱空間に前記真空断熱材よりも厚く構成した発泡断熱材を設け、
前記固定具は、前記発泡断熱材に接触して固定される請求項１〜５のいずれか１項に記載の冷蔵庫。
【発明の詳細な説明】
【技術分野】
【０００１】
本発明の実施形態は、冷蔵庫に関するものである。
【背景技術】
【０００２】
冷蔵庫では、外箱と内箱との間に形成された断熱空間に断熱材を配設したキャビネットの内部に貯蔵室が形成されている。キャビネットの内部には、内箱に固定されたファスナと呼ばれる固定具を介して、内箱の背面壁との間に冷気を流通させるダクトを区画形成するダクト板やキャビネット内部を上下に仕切る仕切板等の内側部材が取り付けられ、貯蔵室が形成されている。
【０００３】
近年、冷蔵庫では、設置スペースに対する内容積の大容量化の要求が高いことから、冷蔵庫のキャビネットの断熱空間の厚さを小さくすることが行われている。その際、断熱空間の厚さを小さくしても断熱性能を充分に確保するため、ウレタンなどの発泡断熱材の一部あるいは全部に換えて断熱性能に優れる真空断熱材を断熱空間に設けている（例えば、下記特許文献１参照）。
【０００４】
しかしながら、内箱には、固定具が内箱を貫通するように取り付けられているため、キャビネットの断熱空間の厚さを小さくすると、真空断熱材が断熱空間側に位置する固定具に当接して内部を真空状態で封止する袋体が破損し、断熱性能が著しく低下するおそれがある。
【先行技術文献】
【特許文献】
【０００５】
【特許文献１】特開平６−１４７７４４号公報
【発明の概要】
【発明が解決しようとする課題】
【０００６】
そこで、内箱に取り付けられた固定具を介してキャビネットの内部に内側部材が取り付けられた冷蔵庫において、内容積の大容量化を図りつつ、真空断熱材の破損を防ぎ断熱性能を維持することができる冷蔵庫を提供する。
【課題を解決するための手段】
【０００７】
本実施形態の冷蔵庫は、内箱と、外箱と、内箱及び外箱の間に形成された断熱空間に設けられた真空断熱材と、前記内箱の内側に設けられた内側部材と、前記内箱を内側から外側へ貫通して前記内箱に固定され前記内側部材を前記内箱に取り付ける固定具とを備え、前記固定具は前記断熱空間の厚さ方向に前記真空断熱材と対向しない位置に設けられている。
【図面の簡単な説明】
【０００８】
【図１】第１実施形態に係る冷蔵庫の断面図である。
【図２】図１の冷蔵庫の冷凍サイクルを示す図である。
【図３】図１の要部拡大図である。
【図４】固定具の斜視図である。
【図５】外箱を取り外した状態のキャビネットを背面から見た斜視図である。
【発明を実施するための形態】
【０００９】
以下、図面に基づいて本発明の一実施形態について説明する。
【００１０】
本実施形態に係る冷蔵庫１０は、図１に示すように、鋼板からなる外箱１２と合成樹脂製の内箱１４との間に断熱空間１５が形成されたキャビネット１６を備える。
【００１１】
キャビネット１６は、断熱空間１５に発泡断熱材１１と真空断熱材１３が設けられた前面に開口する断熱箱体であり、その内部に貯蔵空間が形成されている。キャビネット１６内部に形成された貯蔵空間は、断熱仕切壁１７によって上方の冷蔵空間２０と下方の冷凍空間４０とに区画されている。
【００１２】
冷蔵空間２０は、冷蔵温度（例えば、２〜３℃）に冷却される空間であって、内部が更に仕切壁２１によって上下に区画され、仕切壁２１の上方に複数段の載置棚を設けた冷蔵室２２が設けられ、仕切壁２１の下方に引出式の収納容器２５を配置する野菜室２４が設けられている。
【００１３】
断熱仕切壁１７を介して野菜室２４の下方に配置した冷凍空間４０は、冷凍温度（例えば、−１８℃以下）に冷却される空間であって、自動製氷機を備えた製氷室４２と小型冷凍室（不図示）とが左右に併設され、その下方に冷凍室４６が設けられている。
【００１４】
野菜室２４の背面には、冷蔵冷却器室２６が区画形成されており、その内部に冷蔵空間２０内の空気を冷却する冷蔵冷却器６２と、冷蔵冷却器６２で冷却された冷気を冷蔵室２２及び野菜室２４へ送風する冷蔵ファン６３が設けられている。また、冷凍空間６０の背面には、冷凍冷却器室４８が区画形成されており、その内部に冷凍空間４０内の空気を冷却する冷凍冷却器６４と、冷凍冷却器６４で冷却された冷気を製氷室４２、小型冷凍室及び冷凍室４６へ送風する冷凍ファン６５が設けられている。
【００１５】
冷蔵冷却器６２及び冷凍冷却器６４は、キャビネット１６の背面下部に設けられた機械室１９内に収納された圧縮機６１や凝縮器６７とともに冷凍サイクル６０を構成する。
【００１６】
冷凍サイクル６０は、図２に示すように、高温高圧のガス状の冷媒を吐出する圧縮機６１の吐出側から順番に、蒸発パイプ６６、凝縮器６７、放熱パイプ６８、防露パイプ７０、ドライヤ７２、および三方弁７４の入口側が接続されている。
【００１７】
三方弁７４の一方の出口には、減圧手段としての冷蔵キャピラリチューブ７６、冷蔵冷却器６２、冷蔵アキュムレータ７８および冷蔵サクションパイプ８０が、配管により順に接続されている。三方弁７４の他方の出口には、減圧手段としての冷凍キャピラリチューブ８２、冷凍冷却器６４、冷凍アキュムレータ８４、冷凍サクションパイプ８６および逆止弁８８が配管により順に接続されている。そして、逆止弁８８の出口側と冷蔵サクションパイプ８０の出口側が一つになって圧縮機６１の吸入側に接続されている。
【００１８】
三方弁７４は、凝縮器６７で液化した冷媒を、冷蔵冷却器６２と冷凍冷却器６４に対して交互に供給するように流路を切り替える切替弁であり、圧縮機６１から凝縮器６７及び冷蔵キャピラリチューブ７６を介して供給される低温の冷媒を、冷蔵冷却器６２に供給する冷蔵冷却運転の状態と、冷蔵冷却器６２に供給せずに冷凍冷却器６４に供給する冷凍冷却運転の状態とに、切り替える。
【００１９】
冷蔵室２２の背面には、冷蔵室２２の下端から上端にかけて背面ダクト９０が設けられている。背面ダクト９０は、内箱１４の背面１４ａとダクト部材９２とで挟まれた空間に設けられており、冷蔵冷却器６２で冷却された冷気が、冷蔵ファン６３の回転によって冷蔵冷却器室２６から流れ込む。背面ダクト９０に流れ込んだ冷気は、下方から上方へ向かって流れながら吹出口９１より冷蔵室２２内へ吹き出す。
【００２０】
内箱背面１４ａとの間で背面ダクト９０を形成するダクト部材９２は、内箱１４の内側に設けられる内側部材であり、例えば、合成樹脂を射出成形した概略平板状の部材である。ダクト部材９２の裏面上部には、上向きのフック状をなした取付部９３が設けられており、この取付部９３がキャビネット１６の内箱背面１４ａに固定された固定具１００と係合することで、内箱背面１４ａに対して前方に間隔をあけてダクト部材９２が固定されている。
【００２１】
図３及び図４に示すように、固定具１００は、平板状の基部１０１と、基部１０１の一方面１０１ａから間隔をあけて設けられた下向きのフック状をなした爪部１０２と、爪部１０２から基部１０１の一方面１０１ａに沿って上方に延びるパイプ保持部１０３と、基部１０１の他方面１０１ｂに設けられた係合部１０４とを備える。
【００２２】
固定具１００は、係合部１０４が庫内側に位置し、爪部１０２及びパイプ保持部１０３が断熱空間１５側に位置するように、内箱背面１４ａに設けられた取付穴１８に挿入され、基部１０１と爪部１０２との間で内箱背面１４ａを挟持することで内箱背面１４ａに固定されている。係合部１０４は、固定具１００が内箱背面１４ａに固定された状態で、下方に開口する中空部を内箱背面１４ａより前方に形成し、この中空部にダクト部材９２の取付部９３が下方から圧入状態で挿入係合することで、内箱１４に対してダクト部材８２が取り付けられる。
【００２３】
このような固定具１００は、キャビネット１６の背面壁に設けられた真空断熱材１３と断熱空間１５の厚さ方向に対向しない位置、この例では、図３及び５に示すように、背面に配した真空断熱材１３より上方であって天井面に配した真空断熱材１３よりも後方に位置し、水平方向（この例では冷蔵庫幅方向）に複数個並べて内箱背面１４ａに設けられている。内箱背面１４ａに設けられた固定具１００は、キャビネット１６の断熱空間１５に充填された発泡断熱材１１によって発泡断熱材１１と接触した状態を維持して内箱背面１４ａに固定される。
【００２４】
具体的には、図１に示すように、キャビネット１６では、背面部１６ａ、天井部１６ｂ、底部１６ｃ、及び左右側部における断熱空間１５に平板状の真空断熱材１３が設けられ、背面部１６ａ及び天井部１６ｂとが接合する角部や、背面部１６ａ及び左右側部とが接合する角部や、機械室１９の前壁及び天井壁など、キャビネット１６の断熱空間１５において隣り合う真空断熱材１３同士の間隔など真空断熱材１３が存在しない箇所に、放熱パイプ６８、防露パイプ７０、冷蔵キャピラリチューブ７６、冷蔵サクションパイプ８０、冷凍キャピラリチューブ８２及び冷凍サクションパイプ８６などの冷媒パイプや各種電気配線が設けられ、更に、固定具１００が取付穴１８に挿入され内箱背面１４ａの同じ高さ位置に冷蔵庫幅方向に複数個並べて取り付けられている。
【００２５】
ここで、固定具１００の設置場所は真空断熱材１３の配置されない位置であり、真空断熱材１３に比べて断熱性能の劣る発泡断熱材１１にて十分な断熱性能を確保するために、その断熱厚さを真空断熱材１３の厚さからなる背面部１６ａの厚さに比べて厚くしている。より具体的には、内箱１４の当該角部を庫内側に突出させることで、発泡断熱材１１が流入する空間を多く確保している。
【００２６】
そして、断熱空間１５側に位置する固定具１００のパイプ保持部１０３は、真空断熱材１３の上方に配置された冷媒パイプ（例えば、冷蔵サクションパイプ８０）を一対の爪１０３ａによって挟持することで保持している。本実施形態では、図５に示すように、冷蔵庫幅方向に並べて設けられた複数個の固定具１００が、同じ冷媒パイプを保持しており、断熱空間１５で冷媒パイプによって連結されている。
【００２７】
そして、キャビネット１６の断熱空間１５に真空断熱材１３と、固定具１００の爪部１０２及びパイプ保持部１０３と、冷媒パイプと、各種電気配線が設けられた状態で、断熱空間１５に発泡断熱材１１が充填されている。これにより、断熱空間１５に設けられた発泡断熱材１１内に冷媒パイプや電気配線を埋設した状態で、真空断熱材１３が外箱１２及び内箱１４に一体化されるとともに、固定具１００が内箱背面１４ａに一体化される。
【００２８】
以上のような本実施形態の冷蔵庫１０では、固定具１００がキャビネット１６の断熱空間１５の厚さ方向に真空断熱材１３と対向しない位置に設けられているため、固定具１００と真空断熱材１３との接触を防ぐ空間を内箱１４と真空断熱材１３の間に設ける必要がなくなり、断熱空間１５の厚みを小さくして内容積の大容量化を図りつつ、真空断熱材の破損を防ぎ断熱性能を維持することができる。
【００２９】
また、本実施形態では、固定具１００が、内箱背面１４ａの上部であって、キャビネット１６の背面部１６ａに設けられた真空断熱材１３より上方に設けられており、キャビネット１６の背面部１６ａ及び天井部１６ｂが接合する角部に設けられているため、キャビネット１６の背面部１６ａの広い範囲を発泡断熱材に比べて断熱性能に優れる真空断熱材１３によって覆うことができ、断熱性能を向上させることができる。
【００３０】
更に、本実施形態では、固定具１００が、内箱背面１４ａの庫内側に設けられる係合部１０４に加え、断熱空間１５内に配置されるパイプ保持部１０３を備えるため、ダクト部材９２を保持するだけでなく、冷凍サイクル６０の一部を構成する冷蔵サクションパイプ８０等の冷媒パイプを断熱空間１５内で保持することができ、部品点数を削減することができる。
【００３１】
また、パイプ保持部１０３は、断熱空間１５に設けられた発泡断熱材１１に埋設されアンカーとして機能するため、内箱背面１４ａに対する固定具１００の固定強度を大幅に向上させることができる。
【００３２】
しかも、パイプ保持部１０３が断熱空間１５に設けられた冷媒パイプを保持することで、断熱空間１５に発泡断熱材１１を充填する前段階において、固定具１００は、爪部１０２及びパイプ保持部１０３の２箇所で支持されているため、断熱空間１５に充填される発泡断熱材１１の発泡圧力による位置ずれを抑えることができる。
【００３３】
なお、本実施形態では、内箱１４の内側に設けられた内側部材として、内箱背面１４ａとの間で背面ダクト９０を形成するダクト部材９２を例示したが、本発明はこれに限定されず、キャビネット内部を上下に仕切る仕切板や、冷却器６２，６４の前面を覆うエバカバー等、内箱１４に固定されその内側に設けられる部材であればよい。また、本実施形態では、固定具１００を介して内箱背面１４ａに内側部材を固定する場合に説明したが、内箱１４の天井面や左右側面に固定具１００を介して内側部材を固定してもよい。また、本実施形態では、固定具１００を背面部１６ａに設けられた真空断熱材１３より上方に設けた場合を例に説明したが、固定具１００を背面部１６ａに設けられた真空断熱材１３より下方や側方などの真空断熱材１３に対向しない位置に固定してもよい。
【００３４】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３５】
１０…冷蔵庫
１１…発泡断熱材
１２…外箱
１３…真空断熱材
１４…内箱
１５…断熱空間
１６…キャビネット
１７…断熱仕切壁
１８…取付穴
２０…冷蔵空間
２２…冷蔵室
２４…野菜室
４０…冷凍空間
４２…製氷室
４６…冷凍室
９０…背面ダクト
９１…吹出口
９２…ダクト部材
９３…取付部
１００…固定具
１０１…基部
１０１ａ…一方面
１０１ｂ…他方面
１０２…爪部
１０３…パイプ保持部
１０３ａ…爪
１０４…係合部
【図１】
2018189364.tif 000003
【図２】
2018189364.tif 000004
【図３】
2018189364.tif 000005
【図４】
2018189364.tif 000006
【図５】
2018189364.tif 000007